(57)【要約】【課題】  従来の光ディスク装置の構成に対する変更を小さく抑えた簡単な構成で、光ディスクにデジタル情報とアナログ信号とを同時に記録することが可能な光ディスク装置を提供する。【解決手段】  光ディスクＷに記録光を照射してピット２０を形成することで、光ディスクＷにデジタル情報を記録する記録手段を備える光ディスク装置において、前記記録手段による記録後の光ディスクＷに読み取り光を照射した場合の反射光に基づくＲＦ信号の振幅の変化波形が、所定のアナログ信号を表すように、記録手段による記録時に前記記録光のパワーを制御する記録光パワー制御手段６を備える。【選択図】          図１
2006338736.tif 000002
【特許請求の範囲】
【請求項１】
光ディスクに記録光を照射してピットを形成することで、光ディスクにデジタル情報を記録する記録手段を備える光ディスク装置において、
前記記録手段による記録後の光ディスクに読み取り光を照射した場合の反射光に基づくＲＦ信号の振幅の変化波形が、所定のアナログ信号を表すように、記録手段による記録時に前記記録光のパワーを制御する記録光パワー制御手段を備えることを特徴とする光ディスク装置。
【請求項２】
請求項１記載の光ディスク装置によって光ディスクに記録された前記デジタル情報および前記アナログ信号を読み取るための光ディスク装置であって、
ピットが形成された光ディスクに読み取り光を照射して反射光に基づくＲＦ信号を検出し、ＲＦ信号に基づいて当該光ディスクに記録された前記デジタル情報を読み取るデジタル情報読み取り手段と、
前記ＲＦ信号の振幅の変化波形を検出して、前記光ディスクに記録された前記アナログ信号を読み取るアナログ信号読み取り手段とを備えることを特徴とする光ディスク装置。
【請求項３】
光ディスクに記録光を照射してピットを形成することで、光ディスクにデジタル情報を記録する記録手段を備える光ディスク装置において、
前記記録手段による記録後の光ディスクに読み取り光を照射した場合の反射光に基づくＲＦ信号のベータ値の変化波形が、所定のアナログ信号を表すように、記録手段による記録時に前記記録光のパワーを制御する記録光パワー制御手段を備えることを特徴とする光ディスク装置。
【請求項４】
請求項３記載の光ディスク装置によって光ディスクに記録された前記デジタル情報および前記アナログ信号を読み取るための光ディスク装置であって、
ピットが形成された光ディスクに読み取り光を照射して反射光に基づくＲＦ信号を検出し、ＲＦ信号に基づいて当該光ディスクに記録された前記デジタル情報を読み取るデジタル情報読み取り手段と、
前記ＲＦ信号のベータ値の変化波形を検出して、前記光ディスクに記録された前記アナログ信号を読み取るアナログ信号読み取り手段とを備えることを特徴とする光ディスク装置。
【請求項５】
光ディスクの記録面に記録光を照射する記録光照射手段と、
該記録光照射手段によって前記記録面に記録光を連続的に照射するとともに、該記録光のパワーの変化波形が所定のアナログ信号を表すように、該記録光のパワーを制御する記録光パワー制御手段とを備えることを特徴とする光ディスク装置。
【請求項６】
請求項５記載の光ディスク装置によって光ディスクに記録された前記アナログ信号を読み取るための光ディスク装置であって、
光ディスクに読み取り光を照射して反射光の強度を検出する反射光検出手段と、
該反射光検出手段により検出された反射光の強度の変化波形を検出して、前記光ディスクに記録された前記アナログ信号を読み取るアナログ信号読み取り手段とを備えることを特徴とする光ディスク装置。
【発明の詳細な説明】
【技術分野】
【０００１】
本発明は、光ディスクに記録光を照射して情報を記録し、または、光ディスクに記録された情報を読み取る光ディスク装置に関する。
【背景技術】
【０００２】
特許文献１には、ピットの深さを二段階（複数段階）に形成し、ランドと、浅いピットと、深いピットとにより３値記録を行い、ランドとピットとにより表現される通常のデジタル情報（主情報）に加え、浅いピットと深いピットとにより表される付加情報を光ディスクに記録する技術が記載されている。
【０００３】
【特許文献１】特開２００４−２２７７７７号公報
【発明の開示】
【発明が解決しようとする課題】
【０００４】
従来の光ディスク装置、および特許文献１記載の技術では、光ディスクにアナログ信号を記録し、または再生することができないという課題がある。
【０００５】
また、特許文献１記載の技術においては、ピットとランドとによって表される主情報と、浅いピットと深いピットとによって表される付加情報とを同時に読み取るためには、読み取り時の光ディスクの再生信号を３値化して復調処理する必要があり、従来の光ディスク装置に対してハードウェア的に大きな変更・追加が必要であり、設計開発および製造のためのコストが嵩むという課題がある。
【０００６】
本願発明は上記課題を解決すべくなされ、その目的とするところは、光ディスクにアナログ信号を記録し、または光ディスクに記録されたアナログ信号を読み取ることが可能な光ディスク装置を提供することにある。さらには、従来の光ディスク装置の構成に対する変更を小さく抑えた簡単な構成で、光ディスクにデジタル情報とアナログ信号とを同時に記録し、または、光ディスクに記録されたデジタル情報とそのアナログ信号とを同時に読み取ることが可能な光ディスク装置を提供することにある。
【課題を解決するための手段】
【０００７】
本願発明に係る光ディスク装置は、上記課題を解決するために、以下の構成を備える。すなわち、光ディスクに記録光を照射してピットを形成することで、光ディスクにデジタル情報を記録する記録手段を備える光ディスク装置において、前記記録手段による記録後の光ディスクに読み取り光を照射した場合の反射光に基づくＲＦ信号の振幅の変化波形が、所定のアナログ信号を表すように、記録手段による記録時に前記記録光のパワーを制御する記録光パワー制御手段を備えることを特徴とする。
これによれば、記録光のパワーを、所定の変化波形に合わせて制御するという簡単な構成で、光ディスクにデジタル情報とアナログ信号とを同時に記録することができる。
【０００８】
また、請求項１記載の光ディスク装置によって光ディスクに記録された前記デジタル情報および前記アナログ信号を読み取るための光ディスク装置であって、ピットが形成された光ディスクに読み取り光を照射して反射光に基づくＲＦ信号を検出し、ＲＦ信号に基づいて当該光ディスクに記録された前記デジタル情報を読み取るデジタル情報読み取り手段と、前記ＲＦ信号の振幅の変化波形を検出して、前記光ディスクに記録された前記アナログ信号を読み取るアナログ信号読み取り手段とを備えることを特徴とする。
これによれば、光ディスクからの前記反射光に基づくＲＦ信号からデジタル情報を読み取るとともに、ＲＦ信号の振幅からアナログ信号を読み取ることができる。
【０００９】
また、光ディスクに記録光を照射してピットを形成することで、光ディスクにデジタル情報を記録する記録手段を備える光ディスク装置において、前記記録手段による記録後の光ディスクに読み取り光を照射した場合の反射光に基づくＲＦ信号のベータ値の変化波形が、所定のアナログ信号を表すように、記録手段による記録時に前記記録光のパワーを制御する記録光パワー制御手段を備えることを特徴とする。
これによれば、記録光のパワーを、所定の変化波形に合わせて制御するという簡単な構成で、光ディスクにデジタル情報とアナログ信号とを同時に記録することができる。
【００１０】
また、請求項３記載の光ディスク装置によって光ディスクに記録された前記デジタル情報および前記アナログ信号を読み取るための光ディスク装置であって、ピットが形成された光ディスクに読み取り光を照射して反射光に基づくＲＦ信号を検出し、ＲＦ信号に基づいて当該光ディスクに記録された前記デジタル情報を読み取るデジタル情報読み取り手段と、前記ＲＦ信号のベータ値の変化波形を検出して、前記光ディスクに記録された前記アナログ信号を読み取るアナログ信号読み取り手段とを備えることを特徴とする。
これによれば、光ディスクからの前記反射光に基づくＲＦ信号からデジタル情報を読み取るとともに、ＲＦ信号のベータ値からアナログ信号を読み取ることができる。
【００１１】
また、光ディスクの記録面に記録光を照射する記録光照射手段と、該記録光照射手段によって前記記録面に記録光を連続的に照射するとともに、該記録光のパワーの変化波形が所定のアナログ信号を表すように、該記録光のパワーを制御する記録光パワー制御手段とを備えることを特徴とする。
これによれば、記録光のパワーを、所定の変化波形に合わせて制御するという簡単な構成で、光ディスクにアナログ信号を記録することができる。
【００１２】
また、請求項５記載の光ディスク装置によって光ディスクに記録された前記アナログ信号を読み取るための光ディスク装置であって、光ディスクに読み取り光を照射して反射光の強度を検出する反射光検出手段と、該反射光検出手段により検出された反射光の強度の変化波形を検出して、前記光ディスクに記録された前記アナログ信号を読み取るアナログ信号読み取り手段とを備えることを特徴とする。
これによれば、光ディスクの反射光の強度の変化波形から、アナログ信号を読み取ることができる。
【発明の効果】
【００１３】
本発明に係る光ディスク装置によれば、光ディスクにアナログ信号を記録し、または光ディスクに記録されたアナログ信号を読み取ることが可能である。さらには、従来の光ディスク装置の構成に対する変更を小さく抑えた簡単な構成で、光ディスクにデジタル情報とアナログ信号とを同時に記録し、または、光ディスクに記録されたデジタル情報とそのアナログ信号とを同時に読み取ることができる。
【発明を実施するための最良の形態】
【００１４】
以下、本願発明に係る光ディスク装置の最良の実施の形態を説明する。
【実施例１】
【００１５】
図１は、ＣＤ−ＲＯＭやＣＤ−Ｒ、ＤＶＤ−ＲＯＭやＤＶＤ＋（−）Ｒ等の光ディスクＷを読み取りおよび記録可能な本発明の実施例１に係る光ディスク装置Ｄの構成と、光ディスク装置Ｄが連繋されたホストコンピュータＨとを示す説明図である。
なお、光ディスク装置Ｄは、必ずしもホストコンピュータＨと物理的に別体に設ける必要はなく、例えば、ホストコンピュータＨの筐体内に内蔵されて、ホストコンピュータＨ内で、ホストコンピュータＨのメインボード等と接続されていても良い。
また、本願発明に係る光ディスク装置は、ホストコンピュータに接続されるものに限定されず、例えばオーディオ用ＣＤプレーヤ／レコーダのように、単体で動作するものも含む。
【００１６】
ホストコンピュータＨは、ＡＴＡＰＩやＵＳＢ等のインタフェースにより光ディスク装置Ｄと通信する通信手段と、ＣＰＵやメモリやハードディスク等から成り、ソフトウェアプログラムを実行可能なコンピュータ制御部とを備える。
【００１７】
また、ホストコンピュータＨには、光ディスク装置ドライバと、書き込みプログラムと、読み取りプログラムとが、コンピュータ制御部の記憶手段（ハードディスク）にコンピュータ読み取り可能に設けられ（インストールされ）ている。
光ディスク装置ドライバは、光ディスク装置Ｄに通信手段を介してコマンド等を送信することで、光ディスク装置Ｄを制御するプログラムである。
書き込みプログラムは、光ディスク装置ドライバを介して光ディスク装置Ｄ内の光ディスクＷにデジタル情報およびアナログ信号を書き込むアプリケーションプログラムである。
読み取りプログラムは、光ディスク装置ドライバを介して光ディスク装置Ｄ内の光ディスクＷからデジタル情報を読み取るプログラムである。
【００１８】
光ディスク装置Ｄは、ＡＴＡＰＩやＵＳＢ等のインタフェースによりホストコンピュータＨと通信する情報入出力手段５０を備える。
光ディスク装置Ｄは、情報入出力手段５０を介してホストコンピュータＨから受信したコマンドに基づいて、ホストコンピュータＨから受信したデジタル情報を、光ディスクＷに記録したり、光ディスクＷから読み取ったデジタル情報をホストコンピュータＨに対して送信することができる。
【００１９】
以下、光ディスク装置Ｄの構成について詳述する。
光ディスク装置Ｄは、光ディスクＷを回転駆動するスピンドルモータ５４と、スピンドルモータ５４をサーボ制御する図示しないモータサーボ制御手段と、光ディスクＷの記録面に記録光および読み取り光としてのレーザー光を照射すると共に照射したレーザー光の反射光を受光可能な、記録光照射手段、読み取り光照射手段、および反射光検出手段としての光ピックアップ５６と、光ピックアップ５６を、光ディスクＷの径方向に往復移動させるピックアップ移動手段と、光ピックアップ５６をサーボ制御する図示しないピックアップサーボ制御手段と、光ピックアップ５６による記録光の受発光を制御する記録光制御手段８とを備える。
また、光ディスク装置Ｄは、後述する、変調手段２、アナログ信号生成手段４、記録光パワー制御手段６、ＲＦアンプ１０、デジタル情報読み取り手段１４、アナログ信号読み取り手段１６、およびアナログ出力手段１８を備える。
【００２０】
モータサーボ制御手段、ピックアップサーボ制御手段、記録光制御手段８、変調手段２、アナログ信号生成手段４、記録光パワー制御手段６、デジタル情報読み取り手段１４、アナログ信号読み取り手段１６、およびアナログ出力手段１８の各手段は、図示しないフラッシュＲＯＭ等にプログラムとして記録されたファームウェアを実行可能なマイコン制御部や、専用の制御ＬＳＩ等により実現される。
【００２１】
光ピックアップ５６は、対物レンズ５６ａと、レーザーダイオード等の発光素子（図示せず）と、フォトディテクタ等の受光素子（図示せず）と、フォーカスソレノイド５６ｃと、トラッキングソレノイド５６ｂとを備える。
発光素子は、発光することで、対物レンズ５６ａを介して光ディスクＷの記録面に対して、記録光および読み取り光としてのレーザー光を照射可能に設けられる。また、受光素子は、対物レンズ５６ａを介して前記レーザー光の記録面からの反射光を受光して電気信号に変換する。
フォーカスソレノイド５６ｃは、対物レンズ５６ａを光ディスクＷに接離する方向（フォーカス方向）に移動可能に設けられる。
トラッキングソレノイド５６ｂは、対物レンズ５６ａを光ディスクＷの径方向（トラッキング方向）に移動可能に設けられる。
【００２２】
ピックアップ移動手段は、回転軸５７と、回転軸５７を回転駆動させる図示しない送りモータとから成る。回転軸５７の外周面には、螺旋状のねじ部が形成され、光ピックアップ５６はそのねじ部に螺合することで、回転軸５７の回転に応じて、光ディスクＷの径方向に移動可能に設けられる。
なお、ピックアップ移動手段の構成はこれに限定されるものではない。
【００２３】
ピックアップサーボ制御手段は、フォーカスソレノイド５６ｃおよびトラッキングソレノイド５６ｂを介した対物レンズ５６ａの移動と、前記送りモータを介した光ピックアップ５６の移動とを制御する、専用の制御ＬＳＩで構成される。
【００２４】
光ディスク装置Ｄは、前記モータサーボ制御手段およびピックアップサーボ制御手段により、スピンドルモータ５４、光ピックアップ５６、ピックアップ移動手段、および記録光制御手段８を制御して、光ディスクＷに記録光を照射してピットを形成することで、光ディスクＷにデジタル情報を記録し（記録手段）、また、ピットが形成された光ディスクＷに読み取り光を照射して反射光に基づいて当該光ディスクＷに記録されたデジタル情報を読み取る（デジタル情報読み取り手段）ことができる。
【００２５】
なお、記録光とは、光ピックアップ５６の前記発光素子から発せられるレーザー光であって、ＣＤ−Ｒ等の情報を記録可能な光ディスクＷにピットを形成可能なようにパワーが制御されたレーザー光である。
読み取り光とは、同様に光ピックアップ５６の発光素子から発せられるレーザー光であるが、光ディスクＷ（光ディスクＷがＣＤ−Ｒ等の記録可能なものである場合）にピットを形成するほどの大きなパワーは持たず、ピットが形成された光ディスクＷに反射した反射光を前記受光素子で受光して、光ディスクから情報を読み取るためのレーザー光である。
【００２６】
次に、光ディスク装置Ｄが光ディスクＷにデジタル情報を記録するための構成と、デジタル情報の記録の際の処理の流れを説明する。
ホストコンピュータＨから光ディスク装置Ｄに対して、光ディスクにデジタル情報を記録することを指示するコマンドが送信されるとともに、記録すべきデジタル情報が送信されると、そのデジタル情報は情報入出力手段５０を介して変調手段２に入力される。
【００２７】
変調手段２は、入力されたデジタル情報に対し公知のＥＦＭ変調（Eight to Fourteen Modulation）等の変調を施す。なお、変調手段２による変調が施された情報を、変調情報と呼ぶ。
変調手段２により変調された変調情報は記録光制御手段８に入力され、記録光制御手段８は、その記録信号に基づいて、記録光制御信号を出力して光ピックアップ５６を制御して記録光を光ディスクＷの記録面に対して照射し、光ディスクＷの記録面に変調情報に基づいたピットを形成する。
【００２８】
次に、本実施例１に係る光ディスク装置Ｄの特徴である、アナログ信号生成手段４および記録光パワー制御手段６について説明する。
ホストコンピュータＨ上の前記書き込みプログラムは、光ディスクＷに書き込む情報として、前記デジタル情報の他に、付加情報を、前記光ディスク装置ドライバを介して光ディスク装置Ｄに送信する処理を、ホストコンピュータＨに実現させることができる。
付加情報としては、音声情報、文字情報、暗号化した情報など、任意の情報を採用できる。
アナログ信号生成手段４は、ホストコンピュータＨから入力された付加情報を、当該付加情報を重畳したアナログ信号としてのＡＭ変調信号に変換する。
【００２９】
記録光パワー制御手段６は、前述のデジタル情報を光ディスクＷに記録する際、記録光制御手段８から出力される記録光制御信号を、記録光のパワー（強度）が前記ＡＭ変調信号の波形に合わせて変化するよう、変更する制御を行う。
図２において、（ａ）がアナログ信号生成手段４により生成されたアナログ信号の波形、（ｂ）が記録光パワー制御手段６により制御された記録光のパワーのトラック方向の変化波形を表す。記録光パワー制御手段６は、入力されたアナログ信号の波形（図２（ａ））に合わせて、記録光のパワーを制御する（図２（ｂ））。
【００３０】
さて、光ディスクＷに記録された各ピットの光の反射率は、ピットが形成される際に照射された記録光のパワーによって変わる。具体的には、ピットが形成される際の記録光のパワーが強いほど光ディスクの記録面の色素の焼き付けが強くなり、ピットの反射率は低くなる。
したがって、記録光のパワー（強度）を前記ＡＭ変調信号の波形に合わせて変化させることにより、光ディスクＷを読み取る際には、読み取り光の反射光の強度が、ＡＭ変調信号の波形に合わせて変化する作用を奏する。
記録光パワー制御手段６は、記録後の光ディスクＷに読み取り光を照射した場合の反射光に基づくＲＦ信号の振幅の変化波形が、所定のアナログ信号を表すように、記録時に、前記記録光のパワーを、前記ＡＭ変調信号の波形に合わせるように制御を行う。
【００３１】
図２（ｂ）で表されるように記録光のパワーが制御された状態でピットが形成された光ディスクＷの状態を示す説明図を、図２（ｃ）に示す。記録可能な光ディスクＷは、記録面側のポリカーボネート層２４、感光性色素層２６、反射層２８、ラベル面側のポリカーボネート層３０を有する。図２（ｃ）上では、記録光は下面から照射され、記録光により焼付けを起こした感光性色素層２６の部分がピット２０，２０・・として形成され、記録光が照射されなかった感光性色素層２６の部分はランド２２，２２・・となる。なお、図２（ｃ）において、ピット２０の深さは、ピットの焼き付けの強さおよび深さを表しており、より強いパワーの記録光が照射されて反射率が低くなったピット２０（より深層まで焼付けられたピット）を、より深いピットとして表現している。
図２（ｂ）に示すように記録光のパワーが制御された状態で光ディスクＷへの記録を行うと、図２（ｃ）に示すように、強いパワーが照射されたピットほど、反射率の低い（焼き付けの強い）ピットに形成される。
【００３２】
なお、ピット長を正確に形成するために、記録光のパワーを制御する際、ストラテジも同時に制御可能なように、記録光パワー制御手段６を構成するとなお好適である。
【００３３】
次に、光ディスク装置Ｄが光ディスクＷからデジタル情報を読み取るための構成と、デジタル情報の読み取りの際の処理の流れを説明する。
光ディスク装置Ｄは、光ディスクからデジタル情報を読み取ることを指示するコマンドをホストコンピュータＨから受信すると、前記モータサーボ制御手段およびピックアップサーボ制御手段によりスピンドルモータ５４、光ピックアップ５６、およびピックアップ移動手段を制御して、光ディスクＷの記録面に照射した読み取り光の反射光を受光して再生信号を生成する。再生信号はＲＦアンプ１０に入力され、光ディスクＷに形成されたピットおよびランドに基づくＲＦ信号が検出される。
【００３４】
続いて、そのＲＦ信号は、デジタル情報読み取り手段１４に入力される。デジタル情報読み取り手段１４は、ＥＦＭ変調等の既知の技術によってＲＦ信号をデジタル情報に復調して、デジタル情報を、光ディスクＷから読み取った情報として、情報入出力手段５０を介してホストコンピュータＨに送信する。
【００３５】
次に、本実施例１に係る光ディスク装置Ｄの特徴である、アナログ信号読み取り手段１６およびアナログ出力手段１８について説明する。
光ディスクＷからデジタル情報を読み取る際、ＲＦアンプ１０から出力されるＲＦ信号がアナログ信号読み取り手段１６に対しても入力されるよう構成されている。
図２（ｄ）は、図２（ｃ）に示した光ディスクＷに対して読み取り光を照射した際の反射光に基づくＲＦ信号を示す説明図である。ＲＦ信号は、図２（ｄ）に示すように、ピット２０の反射率に応じてその振幅が変動する。具体的には、ピット２０の反射率が低いほど（より詳しくは、ランド２２の反射率に対するピット２０の相対的な反射率が低いほど）、ＲＦ信号の振幅は大きくなる。図２（ｄ）において、ＲＦ信号の各振幅の各最上点、および各最下点を、点線で結んでいる。各点線間の距離が、ＲＦ信号の振幅を表している。ＲＦ信号の振幅は、各ピット２０の反射率に応じて変化している。
【００３６】
アナログ信号読み取り手段１６は、ＲＦ信号の振幅の変化を滑らかに結んだ曲線（本願ではＲＦ信号の振幅の変化波形と呼ぶ。図２（ｅ）参照）、すなわち包絡線を算出して検出することで、光ディスクＷに記録されたＡＭ変調信号（アナログ信号）を読み取る。
【００３７】
アナログ信号読み取り手段１６により読み取られたＡＭ変調波形（アナログ信号）は、アナログ出力手段１８に入力される。アナログ出力手段１８は、ＡＭ変調波形で表される情報を再生して出力する。
例えば、ＡＭ変調波形で表される情報が音声情報の場合には、アナログ出力手段１８をアンプやスピーカによって構成して、音声情報を再生するよう構成する。他にも、ＡＭ変調信号に基づいて映像情報を再生するよう構成してもよい。
【００３８】
実施例１に係る光ディスク装置Ｄによれば、情報を３値化するなどの複雑な処理を行うことなく、記録光のパワーを制御するだけの簡単な構成（記録光パワー制御手段６）を加えるのみで、光ディスクにデジタル情報とアナログ信号とを同時に記録することができる。また、ＲＦ信号の振幅を検出するといった簡単な構成を加えるのみで、光ディスクに記録されたデジタル情報とそのアナログ信号とを同時に読み取ることができる。
【００３９】
なお、図２（ｃ），（ｄ）においては、分かりやすく説明を行うために、ピット２０の反射率（焼き付き強度）の変化量やＲＦ信号の振幅の変化量を極端に表現しているが、デジタル信号読み取り手段１４によるデジタル情報の読み取りに支障が生じないように、ピット２０の反射率（焼き付き強度）の変化量やＲＦ信号の振幅の変化量は、光ディスクＷの記録の規格に定められた許容範囲内で変化させるよう、記録光パワー制御手段６による制御量を設計すると良い。
逆に、光ディスクＷを従来の光ディスク装置では再生できないようにしたい場合には、反射率（焼き付き強度）の変化量やＲＦ信号の振幅の変化量が前記許容範囲を超えるように、記録光パワー制御手段６による制御量を設計すると良い。
【００４０】
また、アナログ信号読み取り手段１６により読み取られたＡＭ変調信号（アナログ信号）は、必ずしも、アナログ出力手段１８等によって外部に出力する用途に用いることに限定されない。
例えば、本実施例１に係る光ディスク装置Ｄにおいて、本光ディスク装置Ｄによって情報が書き込まれた光ディスクのみを再生したい場合、アナログ信号読み取り手段１６によって所定のアナログ信号が記録された光ディスクのみを再生してデジタル情報をホストコンピュータＨに送信し、逆に、所定のアナログ信号が記録させていない光ディスクに対しては、デジタル情報をホストコンピュータＨに送信しないようにしたりデジタル情報の読み取りを中止したりするよう構成する。本光ディスク装置Ｄで情報を書き込んだ光ディスクを、従来の光ディスク装置を用いてコピーしたような場合、デジタル情報はコピーされるものの、アナログ信号はコピーされないため、アナログ信号の記録の有無を判定することで、第三者によって他の機器を用いて不正にコピーされた光ディスクの再生を制限すること等が実現できるのである。
【００４１】
また、光ディスクＷからのアナログ信号の読み取りに用いる値として、上記実施例１においては、反射光に基づくＲＦ信号の振幅を採用したが、ＲＦ信号の振幅に替えて、ＲＦ信号のベータ値を用いるよう構成してもよい。ベータ値は、ピットからの反射光の強度に伴って変動する値であるから、ベータ値の変化を滑らかに結んだ変化波形に基づいてアナログ信号を読み取る構成とすることも可能である。
【００４２】
また、光ディスクＷに記録するアナログ信号は、ＡＭ変調信号に限定されるものではない。例えば、アナログ信号は、ＦＭ変調信号であってもよい。
【実施例２】
【００４３】
次に本発明の実施例２に係る光ディスク装置Ｄ２の構成について説明する。
なお、上記実施例１と同様の構成については、同一の符号を付して説明を省略する。
図３は、実施例２に係る光ディスク装置Ｄ２の構成と、光ディスク装置Ｄが連繋されたホストコンピュータＨとを示す説明図である。
実施例２に係る光ディスク装置Ｄ２において、実施例１と異なる点は、記録光パワー制御手段７およびアナログ信号読み取り手段１７の構成である。
【００４４】
記録光パワー制御手段７は、光ディスクＷの記録面に記録光を連続的に照射するとともに、記録光のパワーの変化波形が所定のアナログ信号を表すように、記録光のパワーを制御する。
すなわち、実施例１の記録光パワー制御手段６が、ピットを形成してデジタル情報を記録するための記録光制御信号に対して、記録光のパワーを制御するよう構成されていたのに対し、実施例２に係る記録光パワー制御手段７は、記録面に記録光を連続的に照射するよう記録光制御信号を出力する。さらに、記録光パワー制御手段７は、記録光制御信号を、記録光のパワーの変化波形が所定のアナログ信号を表すように制御する。
【００４５】
図４（ａ）は、アナログ信号生成手段４によって生成されたＡＭ変調信号（アナログ信号）を表している。図４（ｂ）は、記録光パワー制御手段７によって制御され光ピックアップ５６から出力される記録光のパワーの変化波形を示している。
実施例１と異なるのは、このパワーの変化波形に基づく記録光が直接的に光ピックアップ５６から出力されることである。これにより、図４（ｃ）に表すように、光ディスクＷの感光性色素層２６は、その記録光によって、ＡＭ変調信号の波形に合わせて反射率（焼き付け強度）が変化するように焼き付けられる。
【００４６】
この光ディスクＷに読み取り光を照射して読み取った際には、ＲＦアンプ１０から出力されるＲＦ信号が、図４（ｄ）に示すように、光ディスクＷの感光性色素層２６の反射率の強度の変化に対応する波形となる。アナログ信号読み取り手段１７は、このＲＦ信号の波形に合うようにアナログ信号を生成して（図４（ｅ））、アナログ出力手段１８に対して出力を行う。
【００４７】
実施例２に係る光ディスク装置Ｄ２によれば、実施例１に係る光ディスク装置Ｄのようにデジタル信号とアナログ信号とを同時に記録し再生することはできないものの、記録されたアナログ信号の原信号をより忠実に再現できるという利点がある。
【００４８】
なお、本実施例１および実施例２においては、一つの光ディスク装置Ｄによって、記録および読み取りが行えるよう構成しているが、本願発明に係る記録を行う光ディスク装置と読み取りを行う光ディスク装置とは、互いに別体に構成してもよい。
【図面の簡単な説明】
【００４９】
【図１】実施例１に係る光ディスク装置の構成を示した説明図である。
【図２】実施例１に係る光ディスク装置を用いて光ディスクにデジタル情報およびアナログ信号を記録する方法の説明図である。
【図３】実施例２に係る光ディスク装置の構成を示した説明図である。
【図４】実施例２に係る光ディスク装置を用いて光ディスクにアナログ信号を記録する方法の説明図である。
【符号の説明】
【００５０】
Ｄ，Ｄ２  光ディスク装置
Ｈ  ホストコンピュータ
Ｗ  光ディスク
２  変調手段
４  アナログ信号生成手段
６  記録光パワー制御手段
７  記録光パワー制御手段
８  記録光制御手段
１０  ＲＦアンプ
１４  デジタル信号読み取り手段
１６  アナログ信号読み取り手段
１７  アナログ信号読み取り手段
１８  アナログ出力手段
２０  ピット
２２  ランド
２６  感光性色素層
５０  情報入出力手段
５４  スピンドルモータ
５６  光ピックアップ
【図１】
2006338736.tif 000003
【図２】
2006338736.tif 000004
【図３】
2006338736.tif 000005
【図４】
2006338736.tif 000006